(57)【要約】【課題】排水に混入したコイン状異物によって流路が塞がれるのを防止することができるホース接続ユニット等を提供する。【解決手段】洗濯機１の排水ホース３とこれに連なる放流パイプ１３との間に介設されるホース接続ユニット１１であって、排水ホース３が接続されるホース接続部２１と、ホース接続部２１に内嵌され、上流側端部９１で排水ホース３から流れてきたコイン状異物Ｃを捕捉する筒状の異物捕捉部２２と、を備え、異物捕捉部２２は、内径がコイン状異物Ｃよりも小径に形成され、上流側端部９１は、周方向においてコイン状異物Ｃを受ける受け端部９２とコイン状異物Ｃを傾かせる凸端部９３とを有している。【選択図】  図２
2020000426.tif 000002
【特許請求の範囲】
【請求項１】
洗濯機の排水ホースとこれに連なる排水パイプとの間に介設されるホース接続ユニットであって、
前記排水ホースが接続されるホース接続部と、
前記ホース接続部に内嵌され、上流側端部で前記排水ホースから流れてきたコイン状異物を捕捉しその流下を阻止する筒状の異物捕捉部と、を備え、
前記異物捕捉部は、内径が前記コイン状異物よりも小径に形成され、
前記上流側端部は、周方向において前記コイン状異物を受ける受け端部と前記コイン状異物を傾かせる凸端部とを有していることを特徴とするホース接続ユニット。
【請求項２】
前記凸端部は、周方向において山形に形成されていることを特徴とする請求項１に記載のホース接続ユニット。
【請求項３】
前記凸端部は、高さ寸法に対し基端の幅寸法が小さいことを特徴とする請求項２に記載のホース接続ユニット。
【請求項４】
前記受け端部は、径方向内側に向かって下り傾斜の受け面を有していることを特徴とする請求項１ないし３のいずれかに記載のホース接続ユニット。
【請求項５】
前記上流側端部は、前記コイン状異物を流路に直交する面に対し４５°以上の角度に傾かせることを特徴とする請求項１ないし４のいずれかに記載のホース接続ユニット。
【請求項６】
前記上流側端部には、１８０°点対称位置に前記凸端部が２つ形成されていることを特徴とする請求項１ないし５のいずれかに記載のホース接続ユニット。
【請求項７】
前記ホース接続部は、軟質且つ透光性の樹脂で構成されていることを特徴とする請求項１ないし６のいずれかに記載のホース接続ユニット。
【請求項８】
前記ホース接続部と前記異物捕捉部との間には、シールリングが介設され、
前記シールリングに対応する前記ホース接続部の外周面には、径方向において前記ホース接続部を補強するスリーブが設けられていることを特徴とする請求項７に記載のホース接続ユニット。
【請求項９】
浴室とその隣室との間の仕切りを貫通して、前記隣室に設置された洗濯機の排水を前記浴室に導く洗濯機の排水構造であって、
請求項１ないし８のいずれかに記載のホース接続ユニットと、
前記ホース接続ユニットから前記浴室に向かって延びる排水パイプと、を備えたことを特徴とする洗濯機の排水構造。
【発明の詳細な説明】
【技術分野】
【０００１】
本発明は、洗濯機の排水ホースとこれに連なる排水パイプとの間に介設されたホース接続ユニットおよびこれを備えた洗濯機の排水構造に関するものである。
【背景技術】
【０００２】
従来、洗濯機の排水構造として、洗濯機の排水を浴室に導いて間接排水するものが知られている（特許文献１参照）。
この排水構造は、洗濯機の排水ホースが接続されるジョイントユニットと、上流側がジョイントユニットに接続されると共に、床下を浴室まで延びる放流パイプと、を備え、排水ホース、ジョイントユニットおよび放流パイプを介して、洗濯機の排水を浴室に間接排水するようになっている。
ジョイントユニットは、防水パンと、放流パイプが接続されるパイプ接続部と、排水ホースの先端部が接続される接続突出部と、接続突出部をパイプ接続部に取り付けるための鍔部と、を有している。また、ジョイントユニットは、放流パイプを満水状態とすべく、接続突出部の基部内周面に水密に内嵌された縮径部を有している。
【先行技術文献】
【特許文献】
【０００３】
【特許文献１】特開２０１４−８８６６０号公報
【発明の概要】
【発明が解決しようとする課題】
【０００４】
ところで、洗濯機の洗濯槽とこれを囲む水槽との間隙にコイン状異物（主として硬貨）が落ち込むと、コイン状異物は、排水ホースを介してジョイントユニット（ホース接続ユニット）に流れ込むことになる。
かかる場合に、従来のジョイントユニットでは、接続突出部に流れ込んだコイン状異物が縮径部で捕捉されるが、水流に押されたコイン状異物は、縮径部の上流側の端面に、流路を塞ぐように着座する。すなわち、コイン状異物により、ジョイントユニット内で排水流路が閉塞され、洗濯機の排水が排水不能となるおそれがあった。
【０００５】
本発明は、排水に混入したコイン状異物によって流路が塞がれるのを防止することができるホース接続ユニットおよびこれを備えた洗濯機の排水構造を提供することを課題としている。
【課題を解決するための手段】
【０００６】
本発明のホース接続ユニットは、洗濯機の排水ホースとこれに連なる排水パイプとの間に介設されるホース接続ユニットであって、排水ホースが接続されるホース接続部と、ホース接続部に内嵌され、上流側端部で排水ホースから流れてきたコイン状異物を捕捉しその流下を阻止する筒状の異物捕捉部と、を備え、異物捕捉部は、内径がコイン状異物よりも小径に形成され、上流側端部は、周方向においてコイン状異物を受ける受け端部とコイン状異物を傾かせる凸端部とを有していることを特徴とする。
【０００７】
この構成によれば、排水ホースからホース接続部に流れ込んだコイン状異物は、コイン状異物よりも小径に形成された異物捕捉部の上流側端部に捕捉される。異物捕捉部の上流側端部には、コイン状異物を受ける受け端部とコイン状異物を傾かせる凸端部とが設けられているため、コイン状異物は、排水の流れの影響を受けつつ、受け端部と凸端部との協働により、傾いた姿勢で上流側端部に着座するように捕捉される。この場合、傾いたコイン状異物と上流側端部との間には、間隙が生ずるため、排水の流れが阻害されることがない。すなわち、異物捕捉部により、洗濯機の排水に混入したコイン状異物によって、排水の流路が塞がれるのを防止することができる。また、異物捕捉部によって、コイン状異物を傾いた姿勢で捕捉することできるため、排水ホースを外すことでこれを比較的容易に取り出すことができる（復旧）。
【０００８】
この場合、凸端部は、周方向において山形に形成されていることが好ましい。
【０００９】
この構成によれば、凸端部を所定の強度をもって形成することができる。また、排水の流れを利用して、コイン状異物を傾いた姿勢に容易に導くことができる。
【００１０】
この場合、凸端部は、高さ寸法に対し基端の幅寸法が小さいことが好ましい。
【００１１】
この構成によれば、異物捕捉部の上流側端部と、これに捕捉されたコイン状異物との隙間を広く執ることができる。したがって、コイン状異物が捕捉され状態で、排水の流路面積を十分に確保することができ、円滑な排水の流れを維持することができる。
【００１２】
一方、受け端部は、径方向内側に向かって下り傾斜の受け面を有していることが好ましい。
【００１３】
この構成によれば、受け端部の受け面により、円形のコイン状異物を安定に受けることができる。すなわち、排水の流れに緩急が生ずることがあっても、着座した（捕捉した）コイン状異物の姿勢を安定させることができ、円滑な排水の流れを維持することができる。
【００１４】
また、上流側端部は、コイン状異物を流路に直交する面に対し４５°以上の角度に傾かせることが好ましい。
【００１５】
この構成によれば、上流側端部の受け端部と、捕捉されたコイン状異物との隙間を広く執ることができる。したがって、コイン状異物が捕捉され状態であっても、排水の流路面積を十分に確保することができ、円滑な排水の流れを維持することができる。
【００１６】
さらに、上流側端部には、１８０°点対称位置に凸端部が２つ形成されていることが好ましい。
【００１７】
この構成によれば、排水に載って流れてくるコイン状異物が如何なる姿勢であっても、上流側端部において、これを傾いた姿勢に確実に捕捉することができる。
【００１８】
一方、ホース接続部は、軟質且つ透光性の樹脂で構成されていることが好ましい。
【００１９】
この構成によれば、ホース接続部が軟質の樹脂で構成されているため、排水ホースの径がメーカーによって微妙に異なることがあっても、これを適切に接続することができる。また、ホース接続部が透光性の樹脂で構成されているため、ユーザーをして、捕捉されたコイン状異物を視認することができ、その後の処理を促すことができる。
【００２０】
また、ホース接続部と異物捕捉部との間には、シールリングが介設され、シールリングに対応するホース接続部の外周面には、径方向においてホース接続部を補強するスリーブが設けられていることが好ましい。
【００２１】
この構成によれば、スリーブによりホース接続部が補強されるため、ホース接続部が軟質の樹脂で構成されていても、シールリングによるホース接続部と異物捕捉部との間のシール性が損なわれることがない。
【００２２】
本発明の洗濯機の排水構造は、浴室とその隣室との間の仕切りを貫通して、隣室に設置された洗濯機の排水を浴室に導く洗濯機の排水構造であって、上記したホース接続ユニットと、ホース接続ユニットから浴室に向かって延びる排水パイプと、を備えたことを特徴とする。
【００２３】
この構成によれば、排水ホースからホース接続部に流れ込んだコイン状異物を、流路を閉塞しない状態で異物捕捉部に捕捉することができる。また、異物捕捉部により、洗濯機排水をホース接続ユニットから満水状態で排水パイプに導くことができる。したがって、洗濯機排水にコイン状異物が混入しても、浴室への排水を円滑に行うことができる。
【図面の簡単な説明】
【００２４】
【図１】第１実施形態の洗濯機の排水構造を表した模式図である。
【図２】第１実施形態のホース接続ユニットにおけるジョイント部の断面図である。
【図３】第１実施形態のホース接続ユニットにおけるジョイント部の分解斜視図である。
【図４】第１実施形態の異物捕捉部の斜視図（ａ）、およびコイン状異物の捕捉した状態の異物捕捉部の斜視図（ｂ）である。
【図５】コイン状異物の捕捉試験における試験結果を表した図である。
【図６】第２実施形態の異物捕捉部の斜視図（ａ）、およびコイン状異物の捕捉した状態の異物捕捉部の斜視図（ｂ）である。
【発明を実施するための形態】
【００２５】
以下、添付の図面を参照しながら、本発明の一実施形態に係るホース接続ユニットおよびこれを備えた洗濯機の排水構造（以下、単に「排水構造」と言う。）について説明する。この排水構造は、古いタイプの既設共同住宅等において、洗濯機排水を、既存の排水枝管や排水立て管ではなく、スラブ上の転がし配管により浴室内に間接排水するものである。また、ホース接続ユニットは、洗濯機の排水ホースと床下の転がし配管とを接続する継手様のものである。特に、このホース接続ユニットは、洗濯機排水に硬貨等のコイン状異物が混入した場合に、排水に支障が生じない状態でこれを捕捉することができる。
【００２６】
図１は、排水構造を模式的に表した斜視図である。同図に示すように、この古いタイプの共同住宅では、間取り的に洗濯機１用の設置スペースが設けられておらず、洗濯機１は玄関脇のホールＨに設置されている。また、ホールＨに隣接して浴室Ｂが設けられており、洗濯機１の排水は、床下スラブ上において、ホールＨを横断し浴室Ｂに導かれるようになっている。
【００２７】
排水構造１０は、洗濯機１の排水ホース３が接続されるホース接続ユニット１１と、ホース接続ユニット１１に接続されると共に、浴室Ｂまで延びる放流パイプ１３（排水パイプ）と、を備えている。また、ホース接続ユニット１１は、ホールＨの床Ｈａに設置された防水パン１５と、防水パン１５に取り付けられたジョイント部１７とを有しており、ジョイント部１７の部分でホールＨの床Ｈａを貫通するようにしている。そして、ジョイント部１７には、床上において洗濯機１の排水ホース３が接続され、床下において放流パイプ１３が接続されている。
【００２８】
放流パイプ１３は、床下（であってスラブ上）において、ジョイント部１７の下流端の位置からホールＨを縦断するように延び、さらにホールＨを横断するように延びている。ここで、放流パイプ１３は、床上に立ち上がり（露出）図示しない仕切り壁を山なりに貫通して浴室Ｂに達している。詳細は後述するが、放流パイプ１３は、サイホン作用が好適に機能するように（容易に満水となるように）、洗濯機１の排水ホース３よりも十分に細径に形成されている。
【００２９】
洗濯機１の排水が開始されると、排水は排水ホース３からジョイント部１７に流れ、更に放流パイプ１３を通って、浴室Ｂに流下する。詳細は後述するが、ジョイント部１７には流路を絞込む部位があり、ジョイント部１７に流れ込んだ排水はここで満水状態となり、この状態で放流パイプ１３を流れる。このため、排水の最終段階では、放流パイプ１３にサイホン作用が生じ、洗濯機１内の排水を適切に排水できるようになっている。
【００３０】
次に、図２および図３を参照して、ホース接続ユニット１１について説明する。上述のように、ホース接続ユニット１１は、ホールＨの床上に設置した防水パン１５と、防水パン１５に対し水密に且つ貫通するように組み込まれたジョイント部１７と、を備えている。
【００３１】
防水パン１５は、小型のものであり、例えば２２０ｍｍ×３１０ｍｍ×３７ｍｍＨに形成されている。また、防水パン１５は、その四隅をホールＨの床Ｈａにビス止めするようにして設置されている。防水パン１５には、ジョイント部１７を組み込むための開口部１９が形成されており（図２参照）、ジョイント部１７は、この開口部１９が形成された底板の開口縁部を上下から挟み込むようにして、防水パン１５に水密に取り付けられている。この場合の防水パン１５には、流路から漏れた排水を集水して流下させる構造とはなっておらず、単にジョイント部１７を保持すると共に、ジョイント部１７をホールＨの床Ｈａに固定する機能を優先した構造となっている。よって、防水パン１５を省略し、ジョイント部１７を床Ｈａに直接取り付けるようにしてもよい。
【００３２】
ジョイント部１７は、排水ホース３が接続されるホース接続部２１と、ホース接続部２１の下流端部に内嵌され、コイン状異物Ｃを捕捉する円筒状の異物捕捉部２２と、柔軟性を有するホース接続部２１を外側から補強するスリーブ２３と、ホース接続部２１を保持すると共に、放流パイプ１３が接続される流出口部２５を有するホルダ部２４と、を備えている。
【００３３】
排水ホース３から流下した洗濯機１の排水は、ホース接続部２１、異物捕捉部２２および流出口部２５を通過し、放流パイプ１３に導かれる。詳細は後述するが、ホース接続部２１は、「Ｌ」字状に形成されると共に、鉛直軸廻りに回転可能（首振り可能）に構成され、排水ホース３の接続方向を自在に変更できるようになっている。また、排水にコイン状異物Ｃが混入した場合、コイン状異物Ｃは異物捕捉部２２により捕捉されるようになっている。
【００３４】
ホルダ部２４は、流出口部２５が下向きに突設された椀状ベース３１と、椀状ベース３１の上側に配設され、椀状ベース３１と共に防水パン１５の開口縁部を挟持するリング状ベース３２と、リング状ベース３２の上部内側に配設され、ホース接続部２１に係合しこれを流出口部２５に向かって押圧する押え蓋体３３と、を有している。椀状ベース３１、リング状ベース３２および押え蓋体３３は、ホース接続部２１よりも十分に太径に形成され、且つホース接続部２１の基端側（下流側）と同軸上に配設されている。
【００３５】
椀状ベース３１は、内周面に挟持用雌ねじ部３６を形成すると共に中心部に異物捕捉部２２が突き当てられる突当て受容部３７を形成した椀状本体３５と、椀状本体３５の上端から外方に水平に延びる下フランジ部３８と、椀状本体３５の中心下部に突設した流出口部２５とを有し、樹脂等で一体に形成されている。詳細は後述するが、突当て受容部３７には凸型パッキン３９が収容され、異物捕捉部２２の下端（下流側端）が、この凸型パッキン３９を挟んで突当て受容部３７に突き当てられている。これにより、異物捕捉部２２と椀状ベース３１との間がシールされている。
【００３６】
流出口部２５は、突当て受容部３７に連なる流出口４１と、流出口４１に連なると共に放流パイプ１３が接続される接続代部４２と、を有している。流出口４１は、突当て受容部３７および接続代部４２に対し内側に環状に突出している。接続代部４２には、放流パイプ１３の最上流端となる短管１３ａが差込み接合され、またこの短管１３ａには放流パイプ１３を横引くためのショートエルボ１３ｂが接続されている（図１参照）。
【００３７】
リング状ベース３２は、椀状ベース３１（椀状本体３５）の内周面に螺合し、且つ内周面に押え蓋体３３が螺合するベース本体４４と、ベース本体４４の上端から外方に水平に延びる上フランジ部４５とを有し、樹脂等で一体に形成されている。ベース本体４４には、その下部内周面に環状補強部４６が形成され、中間部内周面に押え蓋体３３の螺合端を規制する４つの突起４７が形成され、さらに上部内周面に押え蓋体３３が螺合する押え用雌ねじ部４８を形成されている。また、ベース本体４４の下部外周面には、椀状ベース３１の挟持用雌ねじ部３６に螺合する挟持用雌ねじ部４９が形成されている。
【００３８】
環状補強部４６は、ベース本体４４を補強する環状のリブとして機能している。また、４つの突起４７は、周方向に均等間隔で配設されており、リング状ベース３２を椀状ベース３１に螺合するための工具掛け部としても機能している。
【００３９】
椀状ベース３１の下フランジ部３８と、リング状ベース３２の上フランジ部４５との間には、防水パン１５の開口縁部を挟持するＵパッキン５１と、Ｕパッキン５１の上側に設けたスリップパッキン５２と、が配設されている。スリップパッキン５２は、リング状ベース３２の円滑な回転（ねじ込み）を許容しつつ、上フランジ部４５とＵパッキン５１との間をシールする。Ｕパッキン５１は、防水パン１５の開口縁部を直接挟持し、スリップパッキン５２と共に、椀状ベース３１の下フランジ部３８とリング状ベース３２の上フランジ部４５との間をシールする。
【００４０】
リング状ベース３２の椀状ベース３１への組付けでは、予め放流パイプ１３を施工し、放流パイプ１３に椀状ベース３１を取り付けておく。この状態で、先ず防水パン１５の開口縁部にＵパッキン５１を装着すると共に、このＵパッキン５１が椀状ベース３１の下フランジ部３８に合致するように防水パン１５を位置決めする。次に、リング状ベース３２にスリップパッキン５２を装着すると共に、リング状ベース３２を椀状ベース３１にねじ込んでゆく。リング状ベース３２の椀状ベース３１への螺合が進むと、Ｕパッキン５１が軸方向に潰れるように圧縮される。これにより、ジョイント部１７が防水パン１５に保持され、且つジョイント部１７と防水パン１５とがシールされた状態となる。
【００４１】
押え蓋体３３は、中心部にホース接続部２１が挿通する挿通口５５が形成されたリング状の板状本体５４と、板状本体５４の外周部に形成した環状の押え用雄ねじ部５６と、板状本体５４の上面に突設した４つの突片５７とを有し、樹脂等で一体に形成されている。４つの突片５７は、挿通口５５の部分から押え用雄ねじ部５６の部分まで四方に放射状に延びており、押え蓋体３３をリング状ベース３２に螺合するときの指掛け部として機能すると共に、板状本体５４を補強する補強リブとしても機能している。また、板状本体５４の中心下部には、挿通口５５廻りを補強するための環状リブ部５８が突設されている。そして、押え蓋体３３の押え用雄ねじ部５６が、リング状ベース３２の押え用雌ねじ部４８に螺合することにより、押え蓋体３３がリング状ベース３２に取り付けられるようになっている。また、この押え蓋体３３の螺合端位置を、突片５７が位置規制する。
【００４２】
各突片５７の内端部には、ホース接続部２１を軸方向において掛け止めする掛止め突起５９が形成されている。詳細は後述するが、ホース接続部２１の外周面には、この掛止め突起５９に対応する掛止め受け部７１が形成されており、掛止め受け部７１に掛止め突起５９を掛止めした状態で、押え蓋体３３をリング状ベース３２に螺合するようになっている。これにより、ホース接続部２１は、ホルダ部２４に対し、鉛直軸廻りに回転可能に且つ押圧された状態で取り付けられている。
【００４３】
ホース接続部２１は、排水ホース３が接続される先端側（上流側）の接続口部６１と、ホルダ部２４に保持された基端側（下流側）の被保持筒部６２とから成り、全体としてエルボ状（「Ｌ」字状）に形成されている。そして、本実施形態のホース接続部２１は、軟質且つ透光性の樹脂、例えばエラストマー等で一体に形成されている。これにより、接続口部６１においては、排水ホース３の径がメーカーによって微妙に異なっても、これを適切に接続することができ、また被保持筒部６２においては、捕捉されたコイン状異物Ｃを視認することができるようになっている。
【００４４】
接続口部６１は、被保持筒部６２から斜め上向きに延びており、その内周面に排水ホース３が差し込まれる差込み接合部６４が形成され、外周面にホースバンド６５が巻回される環状のバンド凹部６６、およびバンド凹部６６に隣接してホース抜止めバンド６７が取り付けられる止め輪部６８が形成されている。
【００４５】
バンド凹部６６に装着したホースバンド６５は、差込み接合部６４に接合した排水ホース３を外側から締め付けることで、この部分の水密性を維持すると共に排水ホース３の抜止めとして機能する。また、ホース抜止めバンド６７は、止め輪部６８と図示しない排水ホース３のフックとの間に掛け渡すことで、排水ホース３の抜止めとして機能する。なお、図示では省略したが、止め輪部６８或いはホース抜止めバンド６７には、排水ホース３の接続方法やコイン状異物Ｃに関する注意事項等を記載したタグを取り付けておくことが好ましい。
【００４６】
被保持筒部６２は、鉛直姿勢で且つホルダ部２４に深く挿入された状態で保持されている。被保持筒部６２の下部外周面には、上記押え蓋体３３の掛止め突起５９に対応する掛止め受け部７１が形成されている。掛止め受け部７１は、軸方向に等間隔で配置した２つの環状凸部７２と、２つの環状凸部７２間に配置した１つの環状凹部７３とで構成されており、掛止め突起５９は、この環状凹部７３に臨んで被保持筒部６２を掛け止めしている。上述のように、押え蓋体３３をリング状ベース３２に螺合することにより、ホース接続部２１は、ホルダ部２４に対し、鉛直軸廻りに回転可能に且つ押圧された状態で取り付けられている。
【００４７】
ホルダ部２４に挿入されている被保持筒部６２の下部には、異物捕捉部２２が内嵌され且つスリーブ２３が外嵌されている。すなわち、被保持筒部６２の下部には、その内周面に異物捕捉部２２がほぼ隙間なく嵌めこまれ、その外周面にスリーブ２３がほぼ隙間なく嵌め込まれている。本実施形態では、異物捕捉部２２の内側を絞り込んだ流路とするため、異物捕捉部２２と被保持筒部６２（ホース接続部２１）との間に、２つのＯリング７５（シールリング）が介設されている。一方、ホース接続部２１は軟質（柔軟性のある）樹脂で構成されているため、Ｏリング７５により被保持筒部６２が広がってしまうおそれがある。そこで、これを押さえておくために、スリーブ２３が設けられている。
【００４８】
スリーブ２３は、上部が上記押え蓋体３３の環状リブ部５８を逃げるべくロート状に形成されているが、全体として被保持筒部６２の外周面に添う円筒状に形成されている。スリーブ２３は、例えば黄銅製やステンレススチール製等の金属製のもので構成され、２つのＯリング７５による径方向の押圧力に抗して、被保持筒部６２の形状を維持する（被保持筒部６２の拡径を抑制する）。これにより、被保持筒部６２（ホース接続部２１）の鉛直軸廻りの回転が許容された状態で、被保持筒部６２と異物捕捉部２２との間のシール性が担保されている。
【００４９】
異物捕捉部２２は、ポリプロピレン等で形成され、被保持筒部６２に内嵌される内嵌部８１と、被保持筒部６２から下方に突出し、上記椀状ベース３１の突当て受容部３７に突き当てられる突当て部８２とで一体に形成されている。上述のように、異物捕捉部２２の突当て部８２は、凸型パッキン３９を挟んで突当て受容部３７に突き当てられている。突当て部８２は、内嵌部８１に比して厚肉に形成されており、薄肉の内嵌部８１と厚肉の突当て部８２との段部８４に、ホース接続部２１（被保持筒部６２）下端およびスリーブ２３の下端が突き当てられている。
【００５０】
突当て部８２の外周面には、突当て部８２が軸方向に弾力性を奏するように、環状の深溝８５が形成されている。ホース接続部２１（被保持筒部６２）は、押え蓋体３３から軸方向の押圧力を受けるが、この押圧力は、段部８４を介して突当て部８２に作用する。このため、突当て受容部３７に着座している凸型パッキン３９は、突当て部８２から押圧力を受ける形となる。これにより、異物捕捉部２２と椀状ベース３１との間が水密にシールされている。
【００５１】
内嵌部８１の外周面には、軸方向に間隙を存して２つのＯリング７５が収容される環状溝８７が形成されている。また、内嵌部８１の上流側端部９１（上端部）には、周方向においてコイン状異物Ｃを受ける受け端部９２およびコイン状異物Ｃを傾かせる凸端部９３が形成されている。
【００５２】
ここで、図４を参照して、異物捕捉部２２における上流側端部９１（上端部）の形態について、詳細に説明する。図４（ａ）は、上流側端部９１に受け端部９２および凸端部９３を有する異物捕捉部２２の斜視図であり、図４（ｂ）は、コイン状異物Ｃを捕捉した状態の異物捕捉部２２の斜視図である。これらの図に示すように、異物捕捉部２２の上流側端部９１は、周方向において、コイン状異物Ｃを受ける２つ（２箇所）の受け端部９２とコイン状異物Ｃを傾かせる２つの凸端部９３とを有している。すなわち、異物捕捉部２２の上流側端部９１は、特殊な凹凸形状に形成されている。また、異物捕捉部２２の内径は、コイン状異物Ｃの外径よりも小径に形成されている。
【００５３】
２つの受け端部９２と２つの凸端部９３とは、周方向において角度９０°ピッチで交互に且つ連続するように形成されている。すなわち、２つの凸端部９３は、同形に形成され且つ１８０°点対称位置に配設されており、相互に対を為している。同様に、２つの受け端部９２も、同形に形成され且つ１８０°点対称位置に配設され、相互に対を為している。
【００５４】
各凸端部９３は、周方向において、頂部がなだらかに弧を描く山形に形成されている。この場合、凸端部９３は、高さ寸法に対し基端の幅寸法が小さい山形を為し、その基端部は曲線を描いて受け端部９２に連なっている。凸端部９３の内側の輪郭部分は面取りされており、コイン状異物Ｃ（図示のものは、１０円硬貨）は、この面取り部分に寄りかかるように捕捉される（図４（ｂ）参照）。
【００５５】
一方、各受け端部９２は、周方向の中間部が幾分盛り上がった形状を有し、その端面は、径方向の内側に向かって下り傾斜の受け面９５となっている。捕捉されたコイン状異物Ｃは、異物捕捉部２２の流路を跨いで２つの受け端部９２の受け面９５に着座する。この場合、２つ受け面９５に接するコイン状異物Ｃの２箇所（２点）が１８０°点対称位置にあるときに、コイン状異物Ｃは安定した着座状態となる。加えて、傾いたコイン状異物Ｃにおいて、この２点と等距離にある１点が凸端部９３に寄りかかるように接している状態が、最も安定した着座状態となる。
【００５６】
すなわち、本実施形態の異物捕捉部２２では、排水に混入して流れてきたコイン状異物Ｃは、常に（自動的に）、２つ受け面９５のそれぞれのセンターと、いずれか一方の凸端部９３のセンターとに接する安定した着座状態となる（捕捉）。言い換えれば、受け端部９２と凸端部９３との協働により、コイン状異物Ｃが常に傾いた安定姿勢で捕捉される。この場合、受け端部９２および凸端部９３（上流側端部９１）は、コイン状異物Ｃを流路に直交する面に対し４５°以上の角度に傾かせるようになっている。これにより、安定に捕捉されたコイン状異物Ｃ（の外周面）と、異物捕捉部２２の内周面との間には十分な隙間が生ずる。
【００５７】
したがって、安定した姿勢で捕捉されたコイン状異物Ｃは、異物捕捉部２２により構成された流路を閉塞することがなく、コイン状異物Ｃを捕捉した状態であっても、排水の流路を確実に確保することができる。また、捕捉されたコイン状異物Ｃは、ホース接続部２１が透光性の樹脂で構成されているため、ユーザーをして視認することができ、ホース接続部２１から排水ホース３を外して簡単に取り出すことができる。
【００５８】
ここで、図５を参照して、コイン状異物Ｃの流入を想定した実施形態の排水構造（図１参照）における排水性能試験について説明する。
この試験では、コイン状異物Ｃ（１０円硬貨）が捕捉されない「なし」と、コイン状異物Ｃが１枚捕捉された「１０円（１枚）」と、コイン状異物Ｃが２枚捕捉された「１０円（２枚）」と、コイン状異物Ｃが３枚捕捉された「１０円（３枚）」と、のそれぞれについて、洗濯機１の１回の平均的な排水量である１３．８Ｌの水（排水）を流し、この水が流れきるまでの時間（流下時間）を測定した。なお、この試験では、流下時間が６０秒以内のものを「合格」とし、６０秒を越えるものを「不合格」とした。
【００５９】
図５に示すように、「なし」の場合には、平均の流下時間が３９秒となり、当然ではあるが「合格」と判定された。同様に、「「１０円（１枚）」では、平均の流下時間が４０秒で「合格」、「「１０円（２枚）」では、平均の流下時間が５１秒で「合格」となった。一方、「「１０円（３枚）」では、平均の流下時間が６６秒となり、「不合格」と判定された。また、いずれの場合も、放流パイプ１３にサイホン作用が確認された（「サイホン起動」）。
【００６０】
このように、コイン状異物Ｃが２枚までは、ほぼ排水に支障を生じないことが確認され、コイン状異物Ｃが３枚のときのみ排水に時間がかかることが確認された。もっとも、この場合の合否判定は、洗濯機１を使用するユーザーが、排水不良に気づかないであろうレベルを「合格」とし、気づくであろうレベルを「不合格」としたものであり、「不合格」となった「「１０円（３枚）」でも排水不能となるわけではない。
【００６１】
なお、図５には示していないが、本実施形態の異物捕捉部２２とは異なり、上流側端部９１が平坦な異物捕捉部２２では、流れてきたコイン状異物Ｃ（１０円硬貨）が、上流側端部９１につかえた瞬間に端面に貼りつくような姿勢となり、流路を閉塞してしまうことが確認されている。
【００６２】
次に、図６を参照して、第２実施形態に係る異物捕捉部２２Ａについて説明する。この異物捕捉部２２Ａの上流側端部９１では、周方向３６０°のうち、ほぼ９０°に相当する部分に受け端部９２Ａが形成され、残りのほぼ２７０°の部分に凸端部９３Ａが形成されている。すなわち、この上流側端部９１では、周方向の一部に受け端部９２Ａが形成され、残りの部分に凸端部９３Ａが形成されている。
【００６３】
この実施形態では、コイン状異物Ｃの周方向の１点が、受け端部９２Ａ（受け面９５）のセンター付近に接する形で捕捉される（図６（ｂ）参照）。そして、この場合も、受け端部９２Ａおよび凸端部９３Ａ（上流側端部９１）は、コイン状異物Ｃを流路に直交する面に対し４５°以上の角度に傾かせるようになっている。これにより、安定に捕捉されたコイン状異物Ｃ（の外周面）と、異物捕捉部２２の内周面との間には十分な隙間が生ずる。すなわち、安定した姿勢で捕捉されたコイン状異物Ｃは、異物捕捉部２２により構成された流路を閉塞することがなく、コイン状異物Ｃを捕捉した状態であっても、排水の流路を確実に確保することができる。
【００６４】
なお、上記の実施形態では、ホース接続ユニット１１を、間接排水となる放流パイプ１３に接続する排水構造１０に適用した場合について説明したが、ホース接続ユニット１１以降を、排水枝管や排水立て管（いずれも、いわゆる「雑排水管」）に配管接続するものであってもよい。但し、この場合には、間接排水とはならないので、ホース接続ユニット１１に排水トラップを組み込むか、或いは上記のショートエルボ１３ｂに代えて排水トラップを設けるようにする。
【符号の説明】
【００６５】
１…洗濯機、３…排水ホース、１０…排水構造、１１…ホース接続ユニット、１３…放流パイプ、１７…ジョイント部、２１…ホース接続部、２２，２２Ａ…異物捕捉部、２３…スリーブ、２４…ホルダ部、６１…接続口部、６２…被保持筒部、７５…Ｏリング、８１…内嵌部、８２…突当て部、９１…上流側端部、９２，９２Ａ…受け端部、９３，９３Ａ…凸端部、９５…受け面、Ｂ…浴室、Ｃ…コイン状異物、Ｈ…ホール。
【図１】
2020000426.tif 000003
【図２】
2020000426.tif 000004
【図３】
2020000426.tif 000005
【図４】
2020000426.tif 000006
【図５】
2020000426.tif 000007
【図６】
2020000426.tif 000008